(57)【要約】【課題】安全性が高い、磁気記録読み取り書き込み装置とその読み取り書き込み方法等を提供する。【解決手段】  磁気記録媒体の磁気記録層の磁気粒子配向方向が、磁気ヘット゛の走査方向に対して周期的又は不規則的に変化していて固有の配向パターンが形成されている磁気記録媒体の磁気記録情報を読み取り書き込みする装置であって、使用履歴情報、残高情報等の取引毎に変化する情報にもとづき、当該磁気読み取り書き込み装置の磁気ヘッドのアジマス角を取引毎に所定角変化させて磁気記録することを特徴とする磁気読み取り書き込み装置とその読み取り書き込み方法等を提供することを特徴とする。【選択図】図６
2005174484.tif 000002
【特許請求の範囲】
【請求項１】
磁気記録媒体の磁気記録層の磁気粒子配向方向が、磁気ヘッドの走査方向に対して周期的又は不規則的に変化していて固有の配向パターンが形成されている磁気記録媒体の磁気記録情報を読み取り書き込みする装置であって、使用履歴情報、残高情報等の取引毎に変化する情報にもとづき、当該磁気読み取り書き込み装置の磁気ヘッドのアジマス角を取引毎に所定角変化させて磁気記録することを特徴とする磁気読み取り書き込み装置。
【請求項２】
請求項１で記載した磁気読み取り書き込み装置を使用する磁気読み取り書き込み方法であって、磁気ヘッドのアジアマス角度を変化させて、磁気記録媒体の磁気記録層に取引情報と磁気ヘッドのアジマス角変化情報を磁気書き込み後に磁気ヘッドのアジマス角を磁気書き込み状態と同一の状態で磁気読み取りし、その磁気出力パターンを次回取引時の真偽判定に利用するために保存することを特徴とする磁気読み取り書き込み方法。
【請求項３】
磁気記録媒体上の磁気記録層の磁気粒子の配向方向が、磁気ヘッドの走査方向に対して周期的又は不規則的に変化していて固有の配向パターンが形成されている磁気記録媒体を使用する真偽判定方法であって、先の取引時に記録した磁気ヘッドのアジマス角変化情報を読み取り、磁気ヘッドのアジマス角を変化させて、磁気記録媒体を読み取り、この磁気出力パターンと磁気読み取り書き込み装置内等に保存している先の取引時の磁気出力パターンとを比較照合し、照合結果が一致したときには磁気記録媒体及び磁気記録層に磁気記録されている磁気記録されている取引情報が真と判定することを特徴とする磁気記録媒体の真偽判定方法。
【発明の詳細な説明】
【技術分野】
【０００１】
本発明は、クレジットカード、プリペイドカード等の磁気記録媒体に関わる磁気記録媒体、その磁気読み取り書き込み装置及び磁気読み取り書き込み方法並びに真偽判定方法に関する。
【背景技術】
【０００２】
基体の片面あるいは両面の全域又はストライプ状に磁気記録層が形成された磁気記録媒体は、例えば、プリペイドカード、定期券、乗車券、入場券、車券、馬券、商品券、証書、通帳、磁気タグ等の金券、証券類や、ＩＤカード、キャッシュカード、クレジットカード、会員カード等のカード類等として幅広く使用されている。
【０００３】
しかしながら、磁気記録の特性上、記録された情報の書換え、消去が自在であるために偽造、変造が可能であり、近年、大きな社会問題としてクローズアップされている。特に、現在は磁気ストライプの入手が容易であるため、類似のカードを製造することも可能である。
【０００４】
さらに、プリペイドカードのような基体の全面に磁気記録層を形成するタイプの磁気カードにおいては、使用済みカードのパンチ穿孔による構造破壊部を切断除去し、別の使用済みカードの非破壊部を切り出し、継着するような操作で、新たなバージンカードに変造されることもある。
この変造を防止する手段として、特許文献１では、一軸磁気異方性を有する磁性粒子を含む磁気記録層を非磁性基体上に形成してなる磁気記録再生方向に磁場配向した磁気記録トラック領域と、少なくとも一部の磁性粒子の磁化容易軸を記録再生方向と直角の方向に磁場配向した磁気記録トラック外フリー領域とを備え、該フリー領域を磁気記録トラック領域として使用できないようにしたプリペイドカードのような基体の全面に磁気記録層を形成するタイプの磁気カードの提案がなさている。
【０００５】
【特許文献１】特開平１０−１２４８６０号公報
【発明の開示】
【発明が解決しようとする課題】
【０００６】
上記  特許文献１の磁気記録媒体の変造等を防止する磁気記録層の配向方向によって表されるパターンは、固定データで磁気記録的な改竄は、不可能であり、偽造品を製造するには技術と製造設備が必要であり、偽造品の製造は困難である。さらに、特許文献１では、使用済みのカードの金額データ復帰による変造に対しては、磁気記録トラックにパンチ穿孔する物理的に再利用をできなくすることで回避している。しなしながら、特許文献１の磁気記録トラックをパンチ穿孔し、物理的に再利用を不可能にすることは、当然のことであるが、磁気記録媒体が繰り返し利用される用途には不適である。
本発明は、このような安価で広く普及している磁気記録媒体の実情に鑑みて、偽造品の製造が困難で、磁気記録されているデータの変造にも困難で、かつ、繰り返し利用が可能な安価な磁気記録媒体への磁気読み取り書き込み装置及び磁気読み取り書き込み方法と真偽判定方法を提供することにある。
本発明の発明者は、磁気記録媒体のセキュリテイ性を格段に向上させる目的で、偽造が困難な磁気記録媒体と磁気記録データの変造も防止できる磁気読み取り書き込み装置、方法等を完成するべく、鋭意研究して本発明に至ったものである。
【課題を解決するための手段】
【０００７】
上記課題を解決するための本発明の要旨の第１は、磁気記録媒体の磁気記録層の磁気粒子配向方向が、磁気ヘットの走査方向に対して周期的又は不規則的に変化していて固有の配向パターンが形成されている磁気記録媒体の磁気記録情報を読み取り書き込みする装置であって、使用履歴情報、残高情報等の取引毎に変化する情報にもとづき、当該磁気読み取り書き込み装置の磁気ヘッドのアジマス角を取引毎に所定角変化させて磁気記録することを特徴とする磁気読み取り書き込み装置である。
【０００８】
上記課題を解決するための本発明の要旨の第２は、請求項１で記載した磁気読み取り書き込み装置を使用する磁気読み取り書き込み方法であって、磁気ヘッドのアジアマス角度を変化させて、磁気記録媒体の磁気記録層に取引情報と磁気ヘッドのアジマス角変化情報を磁気書き込み後に磁気ヘッドのアジマス角を磁気書き込み状態と同一の状態で磁気読み取りし、その磁気出力パターンを次回取引時の真偽判定に利用するために保存することを特徴とする磁気読み取り書き込み方法である。
【０００９】
上記課題を解決するための本発明の要旨の第３は、磁気記録媒体上の磁気記録層の磁気粒子の配向方向が、磁気ヘッドの走査方向に対して周期的又は不規則的に変化していて固有の配向パターンが形成されている磁気記録媒体を使用する真偽判定方法であって、先の取引時に記録した磁気ヘッドのアジマス角変化情報を読み取り、磁気ヘッドのアジマス角を変化させて、磁気記録媒体を読み取り、この磁気出力パターンと磁気読み取り書き込み装置内等に保存している先の取引時の磁気出力パターンとを比較照合し、照合結果が一致したときには磁気記録媒体及び磁気記録層に磁気記録されている磁気記録されている取引情報が真と判定することを特徴とする磁気記録媒体の真偽判定方法である。
【発明の効果】
【００１０】
本発明の磁気読み取り書き込み装置は、製造時に磁気記録層の配向方向を変化させて得られた配向パターンを有する磁気記録媒体を使用し、かつ、磁気読み取り書き込み装置の磁気ヘッドのアジマス角を使用履歴等の毎回変化する情報により、毎回変化させて、磁気記録し、次回取引時の真偽判定に使用するために磁気出力パターンも磁気読み取りし、保存する磁気読み取り書き込み方法であるため、第３者による偽造、変造は極めて困難である。
【発明を実施するための最良の形態】
【００１１】
以下、本発明の実施の形態について、図面を参照しながら説明する。
図１は、本発明に使用するカード状の磁気記録媒体の断面図である。
図２は、塗工装置を説明する斜視図ある。
図３は、塗工装置の配向部等を上部より見た変化する配向パターンの形成方法の説明図である。
図４は、本発明の磁気読み取り書き込み装置の機構部を説明するための図である。
図５は、本発明の磁気読み取り書き込み装置の制御ブロックを説明する図である。
図６は、磁気記録媒体の配向パターンと磁気ヘッドのアジマス角変化時の磁気出力との関係及び磁気記録方式の説明図である。
図７は、磁気読み取り書き込み装置での磁気記録媒体への磁気読み取り書き込み動作について説明するフロー図である。
【００１２】
（磁気記録媒体）
本発明に使用する磁気記録媒体について一例を挙げて説明する。図１は、カード状の磁気記録媒体の断面図である。
図１において、磁気記録媒体１は、基体２と、この基体２の一方の全面に磁気記録層３を備えている。
【００１３】
磁気記録媒体１の基体２は、基体として要求される耐熱性、強度、剛性等を考慮して、ナイロン、セルロースジアセテート、セルローストリアセテート、ポリスチレン、ポリエチレン、ポリプロピレン、ポリエステル、ポリイミド、ポリカーボネート等の樹脂、生分解性樹脂、紙、含浸紙等の材料の中から適宜選択した材料の単独あるいは組み合わせた複合体により構成することができる。このような基体２の厚さは、０．０５ｍｍ〜１ｍｍ程度である。
【００１４】
磁気記録媒体１の磁気記録層３は、通常、樹脂バインダ中に磁性粒子４とが分散された磁気塗料５を後述の塗工装置６で塗布して、基材２上に形成する。
磁性粒子４としては、例えば、γ−Ｆｅ2 Ｏ3 、Ｃｏ被着γ−Ｆｅ2 Ｏ3 、Ｆｅ3 Ｏ4 、Ｆｅ、Ｆｅ−Ｃｒ、Ｆｅ−Ｃｏ、Ｃｏ−Ｃｒ、Ｃｏ−Ｎｉ、Ｂａフェライト、Ｓｒフェライト、ＣｒＯ2 等の磁性微粒子が挙げられる。また、樹脂バインダ（あるいはインキビヒクル）としては、ブチラール樹脂、塩化ビニル／酢酸ビニル共重合体樹脂、ウレタン樹脂、ポリエステル樹脂、セルロース樹脂、アクリル樹脂、スチレン／マレイン酸共重合体樹脂等が用いられ、必要に応じてニトリルゴム等のゴム系樹脂あるいはウレタンエラストマー等が添加される。
また、耐熱性を考慮して、ポリアミド、ポリイミド、ポリエーテルサルホン等のガラス転移温度（Ｔｇ）の高い樹脂、あるいは硬化反応によりＴｇが上昇する系を用いることができる。上記のような樹脂あるいはインキビヒクル中に磁性粒子が分散されてなる分散物中に、必要に応じて界面活性剤、シランカップリング剤、可塑剤、ワックス、シリコーンオイル、カーボン等の顔料を添加してもよい。
【００１５】
（磁気記録媒体の製造方法）
本発明に使用する磁気記録媒体１の製造方法について、図２、図３を参照しながら説明する。
図２は、基体２に磁気塗料５を全面塗布する塗工装置６を説明する斜視図である。図３は、図２で示した塗工装置の塗工部８，配向部９及び乾燥部１０を上部より図示したものである。ロールフィルム状の基体２Ａの給紙部７、磁気塗料５を塗工する塗工部８、配向部９、乾燥部１０、巻き取り部１１を図示する。
塗工の際は、給紙部７よりロールフィルム状の基体２Ａを巻き出し、塗工部８ではロールフィルム状の基体２Ａの上に磁気塗料５を所定の厚さに塗工する。その後に配向部９で磁気粒子４の配向を行う。配向部９は永久磁石よりなる第１配向部９Ａと電磁石よりなる第２配向部９Ｂを有している。当該配向部９Ａ，９Ｂにより磁気塗料５中の磁気粒子４が所定の方向に配向され、その後に乾燥部１０が磁気塗料５を乾燥し、巻き上げ部１１で磁気記録層３が形成されたロールフィルム状の基体２Ｂを巻き上げる工程を行う。
【００１６】
また、一方向ではなく周期的または不規則的に変化している配向パターン１６を形成する方法についてさらに詳細に説明する。
塗工装置６の塗工部８により、ロールフィルム状の基体２Ｂ上の磁気塗工した直後の磁気塗料５中の磁気粒子４の磁極は分散しているが、配向部９の第１配向部に内蔵する永久磁石９Ａの磁極１２がロールフィルム状の基体２Ｂの流れ方向（矢印Ａ）と同一に設定されているため、磁気塗料５中の磁性粒子４はロールフィルム状の基体２Ｂの流れ方向（矢印Ａ）と同一方向に第１配向部による配向方向１３に配向される。
さらに第２配向部に設置された電磁石９Ｂの磁極は、通電時にロールフィルム状の基体２Ｂの流れ方向（矢印Ａ）と４５度の角度となるように設定されているため、第２配向部の電磁石の通電時には、第１配向部で配向された磁性塗料５に含有される磁気粒子４は、ロールフィルムの状の基体２Ｂの流れ方向（矢印Ａ）と４５度となる方向１５に再配向されることになる。この操作により、磁気塗料５に含有される磁気粒子４の配向方向が一方向ではなく、周期的に又は不規則的に変化している配向パターン１６として形成される。
その後の乾燥部１０が、磁気塗料５を乾燥させることで、配向パターン１６がロールフィルム状のカード基体２Ｂの上の磁気記録層３に固定化される。
配向パターンは、周期的に変化するものであっても、当該記録媒体固有の規則により、不規則的に変化するものであってもよい。
磁気記録層３の配向パターン１６は、磁気記録媒体１の固有の固定パターンであるため、磁気的な改竄は不可能であり、偽造品を製造するには技術と塗工装置等の設備が必要となり困難である。
【００１７】
なお、図示はしないが、巻き取り部１１により巻き上げられた磁気記録層が形成されたロールフィルム状の基体２Ｂは、仕上げ抜き機にかけられ、カード状の所定の大きさに仕上げ抜きされ、磁気記録媒体１が完成する。
【００１８】
（磁気読み取り書き込み装置）
図４は、本発明の磁気記録媒体１への磁気読み取り書き込み装置１７の機構部を説明するための図である。
磁気読み取り書き込み装置は、磁気記録媒体１の挿入口１８と、磁気記録媒体１を搬送するためにモーターで駆動制御される送りローラー等による送り機構部１９を有し、この送り機構部１９の後方に磁気ヘッド２０が配置されている構成となっている。さらに本発明の磁気読み取り書き込み装置の特徴とする点であるが磁気ヘッド２０は、アジマス角度を磁気記録媒体１の長手方向と平行する向き（矢印Ａ−１）と直交する向き（矢印Ｂ−１）との間で交互に変化させることが可能な磁気ヘッド回転機構部２１の構造になっている。
【００１９】
図５は、磁気読み取り書き込み装置１７の制御ブロックを説明する図である。
磁気読み取り書き込み装置１７は、磁気読み取り書き込み装置用のＣＰＵ  ２２を備え、このＣＰＵ  ２２にはバスライン２３を介して、磁気読み取り書き込み装置２０の全体の動作を制御するプログラムや磁気パターンの真偽判定アルゴリズム等のプログラムを記憶するＰＲＯＭ部２４、磁気記録媒体１から磁気読み取りしたデータや磁気記録媒体１に磁気記録するデータ等を一時記憶するＲＡＭ部２５、磁気記録媒体１の搬送制御を行う搬送制御部２６、磁気記録媒体１の取引毎の磁気ヘッド２０のアジマス角変化情報を記録するアジマス角度変化情報記録部２７、上位ＰＯＳレジスター等との通信制御を行う伝送制御部２８、磁気ヘッド回転機構部２１の制御を行う磁気ヘッド回転機構制御部２８、磁気ヘッド２０の書き込み読み取り制御等を行う磁気記録読み取り書き込み制御部３０が接続されている。
【００２０】
図６は、本発明の磁気記録層３の配向パターン１６と磁気ヘッド２０のアジマス角を変化させたときの磁気出力の関係を説明する図である。なお、図６では、説明のために磁気読み取り書き込み装置の磁気ヘッド２０のアジマス角を９０度と４５度の２つの設定時の場合を例に取り説明している。
図６―１は、磁気記録媒体１の磁気記録層３の配向パターン１６を示す。
図６−２は、磁気読み取り書き込み装置１７の磁気ヘッド２０のアジマス角度９０度時の磁気記録媒体１の磁気記録層３よりの磁気出力パターン３１を示す。なお、磁気ヘッド２０のアジマス角度が９０度、すなわち磁気読み取り書き込み装置１７の磁気記録媒体１の送り方向と直交する角度（図４の矢印Ａ―１）では、磁気出力パターン３１は、６−１図に示す磁気記録媒体１の配向パターン１６において、磁気記録媒体１の長手方向（図４の矢印Ａ−１）と平行な配向パターンとなる場合に最大となる。
６−３図には、磁気ヘッド２０のアジマス角度４５度時の磁気記録媒体１の磁気記録層３よりの磁気出力パターン３２を示す。この場合、磁気ヘッドのアジマス角度が４５度であるため、磁気出力パターン３２は、図６−１図に示す磁気記録媒体１の配向パターン１６が磁気記録媒体１の長手方向（図４の矢印Ａ−１）と４５度の配向パターンのときに最大となる。
【００２１】
本発明では、磁気記録媒体１の磁気記録層３へのデジタル磁気記録方式は、磁気記録媒体１の磁気記録層３の磁気出力の振幅が、配向パターン１６及び磁気ヘッド２０のアジマス角度の変化により変動するため、磁気出力の振幅の変化に影響されないＦＭ（Ｆｒｅｑｕｅｎｃｙ  Ｍｏｄｕｌａｔｉｏｎ）変調方式を採用することが好ましい。
【００２２】
（利用方法）
本発明の磁気読み取り書き込み装置１７での磁気記録媒体１への磁気読み取り書き込み動作について、図７に示すフロー図ととも説明する。
（１）磁気記録媒体１が、取引時に磁気読み取り書き込み装置１７に挿入される。
（ステップ１０１）
（２）ＰＯＳレジスターは、磁気読み取り書き込み装置１７に使用履歴やプリペイド
カードの残額等の取引毎に変化する情報を送信する。（ステップ１０２）
（３）磁気読み取り書き込み装置１７は、ＰＲＯＭ部２４に搭載しているアルゴリズム
より、磁気ヘッド２０のアジマス角変化情報を生成する。
（ステップ１０３）
（４）磁気読み取り書き込み装置１７は、磁気ヘッド２０のアジマス角を所定角度変化さ      せる。（ステップ１０４）
（５）磁気記録媒体１の磁気記録層３に第１回目の使用履歴情報を記録する。
（ステップ１０５）
（６）磁気読み取り書き込み装置１７は、磁気ヘッド２０のアジマス角を書き込み時と同      一状態で、磁気記録媒体１を磁気読み取りし、第１回目の磁気出力パターンを得  
て、アジマス角度変化情報記憶部２７に記録する。（ステップ１０６）
（７）第２回目の取引時には、磁気読み取り書き込み装置１７は、磁気記録媒体１の第
１回目の使用履歴情報を読み取る。（ステップ１０７）
（８）磁気読み取り書き込み装置１７は、読み取った第１回目の使用履歴情報により、
ＰＲＯＭ部２４に搭載しているアルゴリズムにより磁気ヘッド２０のアジマス角を
所定角度変化させる。（ステップ１０８）
（９）磁気読み取り書き込み装置１７は、この磁気ヘッド２０の状態で再度  磁気記録媒
体１を磁気読み取りし、第１回目の使用履歴情報の磁気出力パターンを読み取りす
る。（ステップ１０９）
（１０）磁気読み取りした第１回目の使用履歴情報の磁気出力パターンと磁気記録読み
取り装置内のアジマス角度変化情報記憶部２７に記録している第１回目の使用履
歴情報の磁気出力パターンとを比較照合し、一致するか否かで真偽判定を実施す
る。（ステップ１１０）
（１１）磁気読み取り書き込み装置１７の真偽判定で、その結果が真と判定した場合に
は、取引を継続する。（ステップ１１１）
（１２）磁気読み取り書き込み装置１７の真偽判定で、偽と判定した場合には磁気読み取
り書き込み装置１７内の磁気記録媒体等を排出する。（ステップ１１２）
（１３）磁気読み取り書き込み装置１７の真偽判定で、真と判定した場合は、磁気読み取
り書き込み装置１７は、第２回目の使用履歴情報等により磁気記録読み取り装置
１７のＰＲＯＭ部２４に搭載しているアルゴリズムより生成した磁気ヘッド２０
のアジマス角変化情報を設定する。（ステップ１１３）
（１４）磁気読み取り書き込み装置１７は、磁気ヘッド２０のアジマス角を所定角度変化
させて、磁気記録媒体１に使用履歴情報等を記録する。（ステップ１１４）
（１５）磁気読み取り書き込み装置１７は、磁気ヘッド２０のアジマス角を第２回目の書
き込み時と同一状態で、磁気記録媒体１の磁気記録層に記録された第２回目の使
用履歴情報を読み取り、磁気出力パターンを記憶部に記録する。
この磁気出力パターンは、第３回目の利用時の磁気記録媒体１の真偽の比較照合
に使用する。（ステップ１１５）
【００２３】
上述の例では、基体の全面に磁気記録層３が設けられたプリペイドカードのような磁気記録媒体１を用いているが、ストライプ状の磁気記録層を基体に備えるクレジットカード及びキャッシュカードのような磁気ストライプカードであってもよい。
【００２４】
また、磁気記録媒体１には、磁気記録層の認識を困難にさせるため、あるいは、磁気記録媒体の保護・装飾効果を上げるために隠蔽層を備えるものであってもよい。
この隠蔽層は、エチルセルロース、硝酸セルロース、エチルヒドロキシエチルセルロース、セルロースアセテートプロピオネート、酢酸セルロース等のセルロース誘導体；ポリスチレン、ポリ−α−メチルスチレン等のスチレン樹脂、あるいはスチレン共重合樹脂；ポリメタクリル酸メチル、ポリメタクリル酸エチル、ポリアクリル酸エチル、ポリアクリル酸ブチル等のアクリル樹脂又はメタクリル樹脂の単独あるいは共重合樹脂；ロジン、ロジン変性マレイン酸樹脂、ロジン変性フェノール樹脂、重合ロジン等のロジンエステル樹脂；ポリ酢酸ビニル樹脂、クマロン樹脂、ビニルトルエン樹脂、塩化ビニル樹脂、ポリエステル樹脂、ポリウレタン樹脂、ブチラール樹脂等のバインダに、着色すべき色に応じて各種の顔料を添加し、さらに必要に応じて、可塑剤、安定剤、ワックス、グリース、乾燥剤、乾燥補助剤、硬化剤、増粘剤、分散剤を添加した後、溶剤あるいは希釈剤で充分に混練してなる着色塗料あるいはインキを用いて、通常のグラビア法、ロール法、ナイフエッジ法、オフセット法等の塗布方法あるいは印刷方法により形成することができる。
【００２５】
上述の例では、磁気読み取り書き込み装置１７は、固有の配向パターン１６を有する磁気記録媒体１の磁気記録層３に使用履歴等の取引毎に変化する磁気記録情報を磁気ヘッド２０のアジマス角を毎回変化させて、磁気記録することを説明した。
この磁気読み取り書き込み装置１７の磁気ヘッド２０のアジマス角変化情報は、光記録層などの磁気記録媒体１上に設けた他の情報記録部に記録して行ってもよい。
この場合は当然のことながら磁気読み取り書き込み装置が、その情報記録方式に対応していることは勿論である。
【００２６】
さらに、上述の例での磁気読み取り書き込み装置１７では、磁気記録媒体１を送りローラーによって搬送する搬送機構で説明したが、磁気記録媒体１を固定して各磁気読み取り書き込みヘッドを搬送する機構で行ってもよい。
【００２７】
また、上述の例での磁気読み取り書き込み装置では、磁気記録媒体１の真偽判定を磁気読み取り書き込み装置内での内部照合で行うことを説明したが、磁気記録媒体１固有の磁気出力パターン等を暗号化し、上位システムで内部に記録している照合用の磁気記録媒体１固有の磁気出力パターン等による照合で判定してもよい。
具体的には、磁気読み取り書き込み装置が接続するＰＯＳレジ等の上位システム及びＰＯＳレジスター等から通信回線を介して、ホストコンヒュータに接続し、
ホストコンヒュータで判定を行う方法である。
【産業上の利用可能性】
【００２８】
安価で広く普及している磁気記録媒体の偽造・変造が、社会問題となって久しく、クレジットカードなどは、高セキュリテイ性を誇るＩＣカードへの移行が開始されている。ＩＣカードは、ＩＣチップを搭載するため、高セキュリティ性を誇るが高価でるとの問題がある。
顧客の固定化を目的としたポイントサービスでは、顧客獲得のため、多数の顧客にポイントサービスカードを発行しなけばならず、高価なＩＣカードではポイントサービス単独の発行は困難である。
さらに、ポイントサービス用の磁気カードと言えども、セキュリティ性が望まれるようになってきている。
本発明は、安価な磁気記録媒体で実現可能であるため、ポイントサービスのような用途には最適であり、いままでの単なる磁気カードシステムに比べ、セキュリティ性が格段に向上した磁気カードシステムの提供が可能となった。
【図面の簡単な説明】
【００２９】
【図１】本発明に使用するカード状の磁気記録媒体の断面図である。
【図２】塗工装置を説明する斜視図である。
【図３】塗工装置の配向部等を上部より見た変化する配向パターンの形成方法の説明図である。
【図４】本発明の磁気読み取り書き込み装置の機構部の説明図である。
【図５】本発明の磁気読み取り書き込み装置の制御ブロックの説明図である。
【図６】磁気記録媒体の配向パターンと磁気ヘッドのアジマス角変化時の磁気出力との関係及び  磁気記録方式の説明図である。
【図７】磁気読み取り書き込み装置での磁気記録媒体への磁気読み取り書き込み動作について説  明するフロー図である。
【符号の説明】
【００３０】
１………磁気記録媒体
２………基体
２Ａ…ロールフィルム状のカード基体
２Ｂ…磁気記録層が形成されたロールフィルム状のカード基体
３………磁気記録層
４………磁気粒子
５………磁気塗料
６………塗工装置
７………給紙部
８………塗工部
９………配向部
９Ａ…第１配向部に内蔵される永久磁石
９Ｂ…第２配向部に内蔵される電磁石
１０……乾燥部
１１……巻き取り部
１２……第１配向部の永久磁石の磁極
１３……第１配向部による配向方向
１４……第２配向部の電磁石通電時の磁極
１５……第２配向部による配向方向
１６……配向パターン
１７……磁気読み取り書き込み装置
１８……挿入口
１９……送り機構部
２０……磁気ヘッド
２１……磁気ヘッド回転機構部
２２……ＣＰＵ
２３……バスライン
２４……ＰＲＯＭ部
２５……ＲＡＭ部
２６……搬送制御部
２７……アジマス角度変化情報記憶部
２８……伝送制御部
２９……磁気ヘッド回転機構制御部
３０……磁気記録読み取り書き込み制御部
３１……アジマス角９０度時の磁気出力パターン
３２……アジマス角４５度時の磁気出力パターン
【図１】
2005174484.tif 000003
【図２】
2005174484.tif 000004
【図３】
2005174484.tif 000005
【図４】
2005174484.tif 000006
【図５】
2005174484.tif 000007
【図６】
2005174484.tif 000008
【図７】
2005174484.tif 000009